(57)【特許請求の範囲】
【請求項１】
複数のユニットの処理を細分化し、各ユニットで処理を順次実行する端末機器の最大消
費電力軽減装置であり、
前記ユニットが処理を実行するのに必要な電力の情報を記憶する記憶手段と、
前記記憶手段に記憶した各処理に必要な電力の情報を読み出し、前記各処理に必要な電力の情報と前記ユニットが各処理を実行するのに必要な時間の情報に基づいて、最大消費電力が少ない処理順序を設定する制御手段と、を有し
前記端末機器は公営競技の投票券を発売する投票端末であり、
前記制御手段は、前記投票端末の設置される場所が主催場で無い場合、主催場で有る場
合と比較して、最大消費電力を少なくする処理順序を設定する
ことを特徴とする最大消費電力軽減装置。
【請求項２】
前記制御手段は、更に発売締切り間際で有る場合、発売締切り間際で無い場合と比較して、前記複数のユニットの全ての処理が完了するまでに要する時間が短くなる処理順序を設定する  
ことを特徴とする請求項１に記載の最大消費電力軽減装置。
【請求項３】
複数のユニットの処理を細分化し、各ユニットで処理を順次実行する端末機器の最大消費電力軽減装置であり、
前記ユニットが処理を実行するのに必要な電力の情報を記憶する記憶手段と、
前記記憶手段に記憶した各処理に必要な電力の情報を読み出し、前記各処理に必要な電力の情報と前記ユニットが各処理を実行するのに必要な時間の情報に基づいて、最大消費電力が少ない処理順序を設定する制御手段と、を有し
前記端末機器は公営競技の投票券を発売する投票端末であり、
前記制御手段は、重賞レース開催日で無い場合、重賞レース開催日で有る場合と比較し
て、最大消費電力を少なくする処理順序を設定することを特徴とする最大消費電力軽減装置。
【請求項４】
複数のユニットの処理を細分化し、各ユニットで処理を順次実行する端末機器の最大消費電力軽減装置であり、
前記ユニットが処理を実行するのに必要な電力の情報を記憶する記憶手段と、
前記記憶手段に記憶した各処理に必要な電力の情報を読み出し、前記各処理に必要な電力の情報と前記ユニットが各処理を実行するのに必要な時間の情報に基づいて、最大消費電力が少ない処理順序を設定する制御手段と、を有し
前記端末機器は公営競技の投票券を発売する投票端末であり、
前記制御手段は、発売締切り間際で無い場合、発売締切り間際で有る場合と比較して、
最大消費電力を少なくする処理順序を設定することを特徴とする最大消費電力軽減装置。
【請求項５】
複数のユニットの処理を細分化し、各ユニットで処理を順次実行する端末機器の最大消
費電力軽減方法であり、
記憶手段に記憶された前記各ユニットの処理に必要な電力の情報を読み出し、前記各処理に必要な電力の情報と前記ユニットが各処理を実行するのに必要な時間の情報に基づいて、最大消費電力が少ない処理順序を設定する制御処理、を有し
前記端末機器は公営競技の投票券を発売する投票端末であり、
前記制御処理は、前記投票端末の設置される場所が主催場で無い場合、主催場で有る場
合と比較して、最大消費電力を少なくする処理順序を設定することを特徴とする最大消費電力軽減方法。
【発明の詳細な説明】
【技術分野】
【０００１】
本発明は、複数のユニットで構成される端末機器の最大消費電力を軽減する最大消費電力軽減装置に関する。
【背景技術】
【０００２】
今日、競馬や、競輪、競艇等の公営競技において、投票券を発売するための端末装置が、公営競技場の内外に設置され、投票券の購入に使用されている。このような端末装置は、紙幣/硬貨ユニットや、投票カード読取ユニット、発券ユニット等で構成されている。
【０００３】
図１０は上記端末装置の処理を模式的に示す図である。同図に示すように、先ず紙幣/硬貨ユニットは投票券の購入者が挿入した紙幣や硬貨を取込み、その鑑別を行い、収納部に紙幣や硬貨を収納する。また、投票カード読取ユニットは投票券の購入者が挿入した投票カードを取込み、情報を読取り、収納部に投票カードを収納する。また、発券ユニットは投票券を印刷し、装置から放出して、投票券の購入者に発行する。
【０００４】
尚、特許文献１は集積回路において、電力島を形成し、この電力島の単位で電力レベルを決定し、当該電力レベルを変更し、電力を効率よく管理する発明である。また、特許文献２はマイクロプロセッサにおける個々の機能ユニットの消費電力を制御する発明であり、個々の機能ユニットの消費電力を制御する値を予め記憶し、ソフトウエアによって消費電力を制御する発明である。さらに、特許文献３は複数の実行ユニットを使用する集積回路において、電力を節約するため、集積回路によって消費される総電力が所定値を超える場合、複数の実行ユニットの中の１つの命令実行を凍結し、電力の削減を図る発明である。
【先行技術文献】
【特許文献】
【０００５】
【特許文献１】特開２００９−２７７２５２号公報
【特許文献２】特開平０９−０６２４１８号公報
【特許文献３】特開２００５−５２７０１０号公報
【発明の概要】
【発明が解決しようとする課題】
【０００６】
しかしながら、従来の投票券を発売するための端末装置では、各ユニットの処理が重なる場合がある。例えば、図１０に示す例では、紙幣/硬貨ユニットによる紙幣等の収納処理と、投票カードの収納処理と、投票券の印刷処理が重なる場合である。重なる場合、端末装置の最大消費電力が極めて大きくなる。
【０００７】
特に、投票券を発売するための端末装置は公営競技の主催場内、及び主催場外に多数設置されており、例えば競技の締め切り時間ぎりぎりには、端末装置の使用が集中し、システム全体の最大消費電力も大きくなる。そのため、端末装置が設置される設備や場所には最大消費電力分をまかなうのに十分な大型の電源装置が必要となり、設置場所確保や設置費用など負担が生じる。
【０００８】
そこで、本発明は複数のユニットを備える端末装置において、最大消費電力の軽減を図り、電源装置を大型化することなく、設備のコストダウンを図る最大消費電力軽減装置を提供するものである。また、投票券の購入者に最短時間で投票券を発行し、投票券の購入者の便宜も図るものである。
【課題を解決するための手段】
【０００９】
複数のユニット、例えば紙幣/硬貨ユニットや、投票カード読取ユニット、発券ユニットの各処理を細分化し、各ユニットにおいて処理を順次実行する端末機器の最大消費電力軽減装置であり、前記ユニットが処理を実行するのに必要な電力の情報を記憶する記憶手段と、前記各処理に必要な電力の情報と前記ユニットが各処理を実行するのに必要な時間の情報に基づいて、最大消費電力が少ない処理順序を設定する。このように構成することにより、端末装置の最大消費電力を軽減することができる。
【発明の効果】
【００１０】
本発明によれば、公営競技における発券処理を行う際、消費電力の軽減を重視した処理、消費電力の軽減を考慮しつつ発券速度を重視した処理、及び発券速度を重視した処理を状況に応じて設定し、端末装置の最大消費電力の軽減を図り、電源装置を大型化することなく、設備のコストダウンを図ることができる。また、投票券の購入者に最短時間で投票券を発行し、投票券の購入者の便宜を図る。
【図面の簡単な説明】
【００１１】
【図１】本実施形態の最大消費電力軽減装置を含むトータリゼータ端末装置のシステム構成図である。
【図２】紙幣/硬貨ユニット、投票カード読取ユニット、及び発券ユニットの構成を示す図である。
【図３】各ユニットが行う処理を表形式で示した図である。
【図４】各ユニットの処理に必要な電力の割合を示す図である。
【図５】本実施形態の処理を説明するフローチャートである。
【図６】速さ重視の発券処理を説明する図である。
【図７】速さを重視するが、電力消費も考慮した発券処理を説明する図である。
【図８】速さを考慮しつつ、電力消費を重視した発券処理を説明する図である。
【図９】電力消費を重視した発券処理を説明する図である。
【図１０】従来の発券処理を説明する図である。
【発明を実施するための形態】
【００１２】
以下、本発明の実施の形態を図面を参照しながら説明する。
図１は本実施形態の最大消費電力軽減装置を含む、競馬等の公営競技のトータリゼータ（賭率計算機）としての端末装置のシステム構成図である。尚、ホスト機器２は上記端末装置１の上位装置であり、例えば公営競技を開催する団体の管理サーバであり、このホスト機器２には同じ構成の端末装置１が多数接続されている。例えば、ホスト機器２は公営競技の主催場に設置され、主催場内の端末装置１や、主催場外に設けられた投票券売場の端末装置１に接続されている。
【００１３】
端末装置１は、制御部３、紙幣鑑別部４、硬貨鑑別部５、投票カード読取部６、投票券発行部７で構成されている。制御部３は上記ホスト機器２と通信を行うと共に、端末装置１のシステム制御を行う。紙幣鑑別部４は投票券の購入者が挿入した紙幣の鑑別を行い、当該鑑別結果を制御部３に送信する。また、硬貨鑑別部５も投票券の購入者が投入した硬貨の鑑別を行い、当該鑑別結果を制御部３に送信する。
【００１４】
投票カード読取部６は投票券の購入者が挿入した投票カードの読み取りを行い、読み取った投票券の購入者の投票内容の情報、例えば投票したレース番号や選択した着順等の情報を制御部３に送信する。投票券発行部７は投票券の印刷処理、及び投票券の発券処理を行い、制御部３から送信される印刷データを投票券に印刷し、発券する。尚、上記印刷処理は、投票カード読取部６によって読み取られた情報等を印刷し、制御部３を介して受信したレース番号や着順等の情報を投票券に印刷する。
【００１５】
また、端末装置１は、図２に示すように紙幣/硬貨ユニット８、投票カード読取ユニット９、及び発券ユニット１０を備える。尚、図１では上記各ユニットの記載を省略している。
紙幣/硬貨ユニット８は紙幣や硬貨の取込処理ａ、鑑別処理ｂ、及び収納処理ｃを行う。ここで、鑑別処理ｂは上記紙幣鑑別部４及び硬貨鑑別部５によって実行される。また、投票カード読取ユニット９は投票カードの取込処理ｄ、読取処理ｅ、及び収納処理ｆを行う。ここで、投票カードの読取処理ｅは上記投票カード読取部６によって実行される。さらに、発券ユニット１０は投票券の印刷処理ｇ、及び投票券の放出処理ｈを行い、上記投票券発行部７によって実行される。
【００１６】
図３は上記各ユニットが行う処理を表形式で示した図である。同図において、紙幣/硬貨ユニット８が行う紙幣及び硬貨の鑑別処理ｂ、及び投票カード読取ユニット９が行う投票カードの読取処理ｅは、発券ユニット１０が行う印刷処理ｇの前提条件である。つまり、発券ユニット１０は、紙幣及び硬貨の鑑別処理ｂによる入金確認と、投票カードの読取処理ｅによる投票内容の確認が行われた後でなければ、投票券の印刷を行うことができない。尚、制御部３は紙幣鑑別部４及び硬貨鑑別部５から送信される鑑別結果と、投票カード読取部６から送信された投票カードの情報に基づいて投票券発行部７に投票券の印刷処理の指示を行う。
【００１７】
したがって、上記各処理の優先度は、［取込処理ａ、ｄ］＞［鑑別処理ｂ、読取処理ｅ］＞［印刷処理ｇ］＞［収納部ｃ、ｆ、放出処理ｈ］である。特に、投票券の購入者が紙幣や硬貨、投票カードを挿入した後、最短で投票券を取得するための優先度は、［取込処理ａ、ｄ］＞［鑑別処理ｂ、読取処理ｅ］＞［印刷処理ｇ］＞［放出処理ｈ］＞［収納部ｃ、ｆ］である。
尚、上記投票カード読取部６から取得した投票カードの情報は制御部３からホスト機器２に送信され、オッズ表示等の情報として使用される。
【００１８】
一方、最大消費電力を軽減するためには、上記優先度と異なり、各処理に必要な電力を考慮する必要がある。例えば、図４は上記各処理に必要な電力の割合を示す。同図の例では、取込処理ａ及びｄに“２０”、鑑別処理／読取処理ｂ及びｅに“３０”、収納処理ｃ及びｆに“２０”、印刷処理ｇに“７０”、放出処理ｈに“２０”の電力が必要である。したがって、同時に行う処理が重なることによって必要な消費電力が決まり、端末装置１の最大消費電力を軽減するためには如何なる処理を同時に行うかを決定することが重要である。
【００１９】
しかし、他方において上記のように、投票券の購入者に最短時間で投票券を発行することも重要である。そこで、以下に各種の条件下において、端末装置１における最大消費電力の軽減を図ると共に、投票券の購入者に最も短い時間で投票券を発行することができる処理方法を説明する。
【００２０】
図５は上記処理を説明するフローチャートである。
同図において、先ず投票場所がレース主催場であるか判断する（ステップ（以下、Ｓで示す）１）。ここで、投票場所がレース主催場である場合、即ち投票場所がレース主催場内に設置された端末装置１を使用する場合、判断（Ｓ１）はＹＥＳである。この場合、更に投票カード読取部６によって読み取られたレースが重賞レースの開催日であるか判断する（Ｓ２）。
【００２１】
例えば、公営競技が競馬であり、天皇賞やダービー等の重賞レースの開催日である場合（Ｓ２がＹＥＳ）、更に当該重賞レースの投票券発売の締め切り１０分前であるか判断する（Ｓ３）。ここで、重賞レースの投票券発売の締め切り１０分前であれば（Ｓ３がＹＥＳ）、速さ重視の発券処理を行う（Ｓ４）。この場合、電力消費の軽減より、投票券の発売処理を急ぐ場合であり、以下の速さ重視の発券処理を行う。
上述のような処理を行うのは、重賞レースの場合は通常レースと比較し投票件数が多く、処理速度を上げ処理能力を高くする必要があるためであり、さらに、レース締め切り間際（本実施例では１０分前）はオッズなどの情報がほぼ確定するため、駆け込みで投票する人が多く、処理速度を上げ処理能力を高くする必要があるためである。
【００２２】
図６はこの場合の発券処理を説明するものであり、先ず紙幣/硬貨ユニット８によって投票券の購入者が挿入した紙幣や硬貨の取込処理ａを行い、紙幣や硬貨の鑑別処理ｂを行う。また、投票カード読取ユニットによって投票券の購入者が挿入した投票カードの取込処理ｄを行い、更に挿入された投票カードの読取処理ｅを行う。そして、この読取処理ｅによって読み取られた重賞レースのレース番号や着順情報の印刷処理ｇを行う間、同時に紙幣や硬貨の収納処理ｃや投票カードの収納処理ｆを実行し、速さ重視の発券処理を行う。このように処理することによって、レース直前の発券処理を迅速に行うことができる。尚、この場合の処理時間が最も短く、例えば２００（ｔ）である。また、この場合の最大消費電力は、収納処理ｃ（“２０”）と収納処理ｆ（“２０”）と印刷処理ｇ（“７０”）が加算され、１１０（Ｐ）となる。
【００２３】
一方、前述の判断（Ｓ３）において、重賞レースの開催日ではあるが（Ｓ２がＹＥＳ）、当該重賞レースの投票券発売の締め切り１０分前ではない場合（Ｓ３がＮＯ）、速さを重視するが、電力消費も考慮した発券処理を行う（Ｓ５）。
【００２４】
図７はこの発券処理を説明する図であり、上記と同様、先ず紙幣/硬貨ユニット８によって投票券の購入者が挿入した紙幣や硬貨を取込処理ａを行い、挿入された紙幣や硬貨の鑑別処理ｂを実行する。また、投票カード読取ユニット９によって利用者が挿入した投票カードの取込処理ｄ、及び投票カードの読取処理ｅを行う。そして、読取処理ｅによって読み取られた重賞レースのレース番号や着順等の情報の印刷処理ｇを行う間、同時に紙幣や硬貨の収納処理ｃを行う。但し、この間、投票カードの収納処理ｆは行わない。このように処理することによって、速さを重視すると共に、電力消費も考慮した発券処理を行うことができる。したがって、この場合投票カードの収納処理ｆは、例えば投票券の放出処理ｈと同時に行う。
尚、この場合の処理時間は２２０（ｔ）である。また、最大消費電力は、収納処理ｃ（“２０”）と印刷処理ｇ（“７０”）を加算した、９０（Ｐ）となる。
【００２５】
一方、前述の判断（Ｓ２）において、重賞レースの開催日ではないが（Ｓ２がＮＯ）、重賞レース以外のレース（所謂ノーマルレース）の投票券発売の締め切り１０分前である場合（Ｓ６がＹＥＳ）、速さを考慮するが電力消費を重視した発券処理を行う（Ｓ７）。
【００２６】
図８はこの発券処理を説明する図であり、上記と同様、先ず紙幣/硬貨ユニット８によって利用者が挿入した紙幣や硬貨を取込処理ａを行い、挿入された紙幣や硬貨の鑑別処理ｂを実行する。また、投票カード読取ユニット９によって利用者が挿入した投票カードの取込処理ｄ、及び投票カードの読取処理ｅを行う。そして、読取処理ｅによって読み取られたレースのレース番号や着順情報の印刷処理ｇを行う。この間、紙幣や硬貨の収納処理ｃや投票カードの収納処理ｆは行わない。このように処理することによって、速さを考慮しつつ電力消費を重視した発券処理を行うことができる。したがって、この場合、紙幣や硬貨の収納処理ｃ及び投票カードの収納処理ｆは、例えば投票券の放出処理ｈと同時に行う。
尚、この場合の処理時間は２４０（ｔ）である。また、最大消費電力は印刷処理ｇ（“７０”）のみであり、７０（Ｐ）である。
【００２７】
また、前述の判断（Ｓ１）において、投票場所がレース主催場ではない場合（Ｓ１がＹＥＳ）、例えば発売専用投票場所の場合であり、レースの投票券発売の締め切り１０分前である場合（Ｓ８がＹＥＳ）、前述と同様、図８に示す速さを考慮するが電力消費を重視した発券処理を行う（Ｓ７）。
すなわち、この場合も印刷処理ｇを行う間、紙幣や硬貨の収納処理ｃや投票カードの収納処理ｆは行わない。紙幣や硬貨の収納処理ｃ及び投票カードの収納処理ｆは、投票券の放出処理ｈと同時に行う。このように処理することによって、速さを考慮しつつ電力消費を重視した発券処理を行うことができる。
【００２８】
一方、投票場所がレース主催場ではない場合であり、レースの投票券発売の締め切り１０分前でもない場合（Ｓ１がＮＯ、Ｓ８がＮＯ）、電力消費を重視した発券処理を行う（Ｓ９）。また、投票場所がレース主催場であるが、重賞レースの開催日ではなく、ノーマルレースの投票券発売の締め切り１０分前ではない場合においても（Ｓ１がＹＥＳ、Ｓ２がＮＯ、Ｓ６がＮＯ）、電力消費を重視した発券処理を行う（Ｓ９）。
すなわち、この場合発券処理を急ぐ必要はなく、電力消費を重視した発券処理を行う。
【００２９】
図９はこの発券処理を説明する図であり、上記と同様、先ず紙幣/硬貨ユニット８によって利用者が挿入した紙幣や硬貨の取込処理ａを行い、挿入された紙幣や硬貨の鑑別処理ｂを行い、更に収納処理ｃを行う。また、投票カード読取ユニット９によって利用者が挿入した投票カードの取込処理ｄ、投票カードの読取処理ｅ、更に投票カードの収納処理ｆを行う。その後、投票券の印刷処理ｇを行い、投票券を放出する。このように処理することによって、各処理が分散し、端末装置１の最大消費電力も小さくなる。この場合、最大消費電力７０（Ｐ）であり、処理時間は３００（ｔ）となる。
【００３０】
以上のように、本実施形態によれば、競馬や、競輪、競艇等の公営競技の発券処理において、各種条件に対応して発券処理時間をできる限り短くすると共に、端末装置１の最大消費電力の軽減を図ることができる。したがって、本実施形態によれば、投票券の購入者に最短時間で投票券の発行を行い、かつ端末装置１に使用する最大消費電力の軽減を図ることができる。また、端末装置１に供給する電源装置を小型化することができ、端末装置１を含むシステムのコストダウンを図ることもできる。
【００３１】
尚、本実施形態の説明では、最大消費電力の軽減を図り、投票券の購入者に最も短い時間で投票券を発行するための条件として、投票券の発売場所、重賞レースの有無、投票券の発売１０分前か否かの条件によって、発券モードの設定を行ったが、上記条件に限るものではない。例えば、公営競技を開催する季節や曜日等によって上記条件を設定してもよく、また条件を組み合わせて設定してもよい。さらに、公営競技の内容等によって条件を変更してもよい。
【符号の説明】
【００３２】
１      端末装置
２      ホスト機器
３      制御部
４      紙幣鑑別部
５      硬貨鑑別部
６      投票カード読取部
７      投票券発行部
８      紙幣/硬貨ユニット
９      投票カード読取ユニット
１０      発券ユニット
ａ      取込処理
ｂ      鑑別処理
ｃ      収納処理
ｄ      取込処理
ｅ      読取処理
ｆ      収納処理
ｇ      印刷処理
ｈ      放出処理
【図１】
0005647062.tif 000002
【図２】
0005647062.tif 000003
【図３】
0005647062.tif 000004
【図４】
0005647062.tif 000005
【図５】
0005647062.tif 000006
【図６】
0005647062.tif 000007
【図７】
0005647062.tif 000008
【図８】
0005647062.tif 000009
【図９】
0005647062.tif 000010
【図１０】
0005647062.tif 000011